(57)【特許請求の範囲】
【請求項１】
中心軸に沿って延びる筒状形状を呈する筒状部と、
前記筒状部の外周に形成されて、外側に向かって広がるとともに前記中心軸に沿う方向に並べて形成された複数の第１笠部と、
前記筒状部の外周であって、前記複数の第１笠部よりも前記中心軸に沿った方向の一方側に形成されて、前記第１笠部よりも外側に広がる第２笠部と、
前記筒状部の外周であって、前記複数の第１笠部よりも前記中心軸に沿った方向の他方側に形成されて、前記第１笠部よりも外側に広がる第３笠部と、
を備え、
前記第２笠部は、前記中心軸に沿って見た場合に前記第１笠部よりも外側となる外側領域のうち、前記一方側の反対である他方側となる面が、前記第１笠部の前記他方側となる面よりも傾斜が大きくなっており、
前記第３笠部は、前記中心軸に沿って見た場合に前記第１笠部よりも外側となる外側領域のうち、前記他方側となる面が、前記第１笠部の前記他方側となる面よりも傾斜が大きくなっていることを特徴とするポリマ外皮。
【請求項２】
前記第１笠部と前記第２笠部との距離は、前記第１笠部同士の距離以上であることを特徴とする請求項１に記載のポリマ外皮。
【請求項３】
前記第１笠部と前記第３笠部との距離は、前記第１笠部同士の距離以上であることを特徴とする請求項１または２に記載のポリマ外皮。
【請求項４】
請求項１から３のいずれか１つに記載のポリマ外皮と、
前記ポリマ外皮の内側に挿通された非直線抵抗素子と、
前記ポリマ外皮に対して前記一方側に設けられて、前記ポリマ外皮が載置される架台と、を備えることを特徴とする避雷器。
【請求項５】
前記中心軸に沿って見た場合に、前記第２笠部のほうが前記架台よりも外側にはみ出していることを特徴とする請求項４に記載の避雷器。
【請求項６】
前記架台には、蛍光塗料が塗布されていることを特徴とする請求項４または５に記載の避雷器。
【発明の詳細な説明】
【技術分野】
【０００１】
本発明は、避雷器等の外皮として用いられるポリマ外皮およびその外皮を用いた避雷器に関するものである。
【背景技術】
【０００２】
絶縁性の樹脂材料を用いたポリマ外皮を外皮としたものとして、例えば発電所や変電所で用いられる避雷器が知られている（例えば、特許文献１を参照）。このような避雷器の内部要素は、複数積層された非直線抵抗素子（例えば、酸化亜鉛素子）と、この酸化亜鉛素子の両端に配置された端子電極と、を備える。そして、これら内部要素の周囲を絶縁性の樹脂材料でモールドすることで、ポリマ外皮が形成される。
【先行技術文献】
【特許文献】
【０００３】
【特許文献１】特開２００１−２９１６０６号公報
【発明の概要】
【発明が解決しようとする課題】
【０００４】
しかしながら、樹脂材料を用いたポリマ外皮では、鳥に食べられてポリマ外皮が破損してしまう場合（以下、単に鳥害ともいう。）がある。上記従来の技術では、ポリマ外皮の表面に模様を付すことで、鳥害の軽減を図っている。そして、樹脂材料を用いたポリマ外皮では、さらなる鳥害の軽減策が求められている。【０００５】
本発明は、上記に鑑みてなされたものであって、鳥害の軽減を図ることができるポリマ外皮を得ることを目的とする。
【課題を解決するための手段】
【０００６】
上述した課題を解決し、目的を達成するために、本発明は、中心軸に沿って延びる筒状形状を呈する筒状部と、筒状部の外周に形成されて、外側に向かって広がるとともに中心軸に沿う方向に並べて形成された複数の第１笠部と、筒状部の外周であって、複数の第１笠部よりも中心軸に沿った方向の一方側に形成されて、第１笠部よりも外側に広がる第２笠部と、を備え、第２笠部は、中心軸に沿って見た場合に第１笠部よりも外側となる外側領域のうち、一方側の反対である他方側となる面が、第１笠部の他方側となる面よりも傾斜が大きくなっていることを特徴とする。
【発明の効果】
【０００７】
この発明によれば、鳥害の軽減を図ることができるポリマ外皮を得ることができるという効果を奏する。
【図面の簡単な説明】
【０００８】
【図１】図１は、本発明の実施の形態１にかかる避雷器の概略構成を示す側面図である。
【発明を実施するための形態】
【０００９】
以下に、本発明の実施の形態にかかるポリマ外皮および避雷器を図面に基づいて詳細に説明する。なお、この実施の形態によりこの発明が限定されるものではない。
【００１０】
実施の形態１．
図１は、本発明の実施の形態１にかかる避雷器の概略構成を示す側面図である。避雷器１０は、ポリマ外皮２、非直線抵抗素子３、架台４を備える。ポリマ外皮２は、絶縁性の樹脂材料、例えばシリコーンゴムを用いたポリマ形の外皮である。
【００１１】
ポリマ外皮２は、中心軸Ｓに沿って延びる筒状形状を呈する筒状部５と、筒状部５の外周に形成されて、外側に向かって広がるとともに中心軸Ｓに沿う方向に並べて形成された複数の第１笠部６とを備える。複数の第１笠部６が並べて形成されることで、ポリマ外皮２の沿面距離の確保が図られている。
【００１２】
ポリマ外皮２は、筒状部５の外周であって、複数の第１笠部６よりも中心軸Ｓに沿った方向の一方側（矢印Ｘに示す方向側）に形成されて、第１笠部６よりも外側に広がる第２笠部７を備える。
【００１３】
中心軸Ｓに沿って見た場合に第１笠部６よりも外側となる第２笠部７の外側領域のうち、中心軸Ｓに沿った方向の他方側（矢印Ｙに示す方向側）となる面が、第１笠部６の他方側となる面よりも傾斜が大きくなっている。これは、第２笠部７の他方側となる面と中心軸Ｓとがなす角度のほうが、第１笠部６の他方側となる面と中心軸Ｓとがなす角度よりも大きいと換言することができる。なお、第２笠部７の他方側となる面の全体で傾斜が大きくなっていても構わない。第１笠部６と第２笠部７との距離Ｖは、第１笠部６同士の距離Ｗ以上となっている。
【００１４】
ポリマ外皮２は、筒状部５の外周であって、複数の第１笠部６よりも中心軸Ｓに沿った方向の他方側（矢印Ｙに示す方向側）に形成されて、第１笠部６よりも外側に広がる第３笠部８を備える。
【００１５】
中心軸Ｓに沿って見た場合に第１笠部６よりも外側となる第３笠部８の外側領域のうち、他方側となる面が、第１笠部６の他方側となる面よりも傾斜が大きくなっている。これは、第３笠部８の他方側となる面と中心軸Ｓとがなす角度のほうが、第１笠部６の他方側となる面と中心軸Ｓとがなす角度よりも大きいと換言することができる。なお、第３笠部８の他方側となる面の全体で傾斜が大きくなっていても構わない。第１笠部６と第３笠部８との距離Ｕは、第１笠部６同士の距離Ｗ以上となっている。
【００１６】
非直線抵抗素子３は、例えば、酸化亜鉛素子である。非直線抵抗素子３は、ポリマ外皮２の筒状部５の内側に挿通される。非直線抵抗素子３は、中心軸Ｓに沿って延びる円柱形状を呈する。非直線抵抗素子３は、通常時は絶縁体としてふるまい、異常電圧等の高電圧が加わった際には導体としてふるまうことで、事故時等の異常電流を、架台４を通して地面等に逃すことができる。非直線抵抗素子３の両側には端子電極９が設けられる。
【００１７】
架台４は、ポリマ外皮２に対して一方側に設けられる。ポリマ外皮２は、架台４上に載置される。架台４には、蛍光塗料が塗布されている。中心軸Ｓに沿って見た場合に、第２笠部７のほうが架台４よりも外側にはみ出している。
【００１８】
以上説明したポリマ外皮２および避雷器１０によれば、第２笠部７が、第１笠部６よりも外側に広がっているので、架台４上に載った鳥が第２笠部７に邪魔されて、沿面距離の確保を図っている第１笠部６を食べることが難しくなる。また、第２笠部７のほうが架台４よりも外側にはみ出しているので、第２笠部７と架台４との間に入れない大きさの鳥は、架台４に載って第１笠部６を食べることができない。
【００１９】
また、中心軸Ｓに沿って見た場合に第１笠部６よりも外側となる第２笠部７の外側領域のうち、他方側となる面が、第１笠部６の他方側となる面よりも傾斜が大きくなっているので、外側領域に鳥が載りにくい。そのため、外側領域に載った鳥によって第１笠部６が食べられにくくなる。
【００２０】
また、中心軸Ｓに沿って見た場合に第１笠部６よりも外側となる第３笠部８の外側領域のうち、他方側となる面が、第１笠部６の他方側となる面よりも傾斜が大きくなっているので、その外側領域に鳥が載りにくい。そのため、外側領域に載った鳥によって第１笠部６が食べられにくくなる。
【００２１】
また、第３笠部８の外側領域よりも内側となる部分に載った鳥は、その外側領域に邪魔されて、下方の第１笠部６を食べにくくなる。このように、第２笠部７と第３笠部８とをポリマ外皮２に設けることで、鳥害の軽減を図ることができる。なお、第２笠部７と第３笠部８のいずれか一方を設けた場合であっても、ある程度の鳥害の軽減を図ることができる。
【００２２】
また、架台４には蛍光塗料が塗布されているため、蛍光塗料を嫌悪しやすい鳥が架台４上に載りにくくなる。したがって、鳥害のより一層の軽減を図ることができる。
【００２３】
また、第１笠部６と第２笠部７との距離Ｖが、第１笠部６同士の距離Ｗ以上となっているので、第１笠部６と第２笠部７との間での短絡の発生を抑えることができる。また、第１笠部６と第３笠部８との距離Ｕは、第１笠部６同士の距離Ｗ以上となっているので、第１笠部６と第３笠部８との間での短絡の発生を抑えることができる。
【００２４】
なお、本実施の形態では、ポリマ外皮２を避雷器１０の外皮に用いた例を挙げて説明したが、例えば、非直線抵抗素子に代えて導体を筒状部５内に挿通させて、碍管の外皮としてもよい。
【産業上の利用可能性】
【００２５】
以上のように、本発明にかかるポリマ外皮は、鳥害の可能性のある環境で用いられるポリマ外皮に有用である。
【符号の説明】
【００２６】
２  ポリマ外皮、３  非直線抵抗素子、４  架台、５  筒状部、６  第１笠部、７  第２笠部、８  第３笠部、９  端子電極、１０  避雷器。
【要約】
本発明は、鳥害の軽減を図ることができるポリマ外皮を得ることを目的とする。
ポリマ外皮２は、中心軸Ｓに向かって延びる筒状形状を呈する筒状部５と、筒状部５の外周に形成されて、外側に向かって広がるとともに中心軸Ｓに沿う方向に並べて形成された複数の第１笠部６と、筒状部５の外周であって、複数の第１笠部６よりも中心軸Ｓに沿った方向の一方側に形成されて、第１笠部６よりも外側に広がる第２笠部７と、を備え、第２笠部７は、中心軸Ｓに沿って見た場合に第１笠部６よりも外側となる外側領域のうち、一方側の反対である他方側となる面が、第１笠部６の他方側となる面よりも傾斜が大きくなっている。【図１】
0005490334.tif 000002